(57)【要約】【課題】  撮像した画像中の特定領域の拡大を簡単な操作によって行うことが可能な画像撮像装置を提供する。【解決手段】  撮影された画像は一時記憶部１３に一時記憶されて液晶モニタ３に全体画像として表示される。また顔部画像抽出部１６は当該一時記憶された画像データから被写体人物の顔部分を抽出し、ユーザが選択ボタン５を押下すると液晶モニタ３は抽出された顔の画像を拡大して表示する。ユーザは拡大された被写体の表情をチェックした上で、一時記憶部１３内の画像データを画像記録部１５に保存記録する。【選択図】  図２
2006340281.tif 000002
【特許請求の範囲】
【請求項１】
被写体を撮像して該被写体の画像データを生成する撮像手段と、
前記画像データを一時的に記憶する一時記憶手段と、
前記一時記憶手段に記憶された画像データから、特定の画像パターンを有する少なくとも１つの画像領域を抽出する画像抽出手段と、
前記抽出された画像領域を拡大された画像に変換する画像拡大手段と、
画像を表示する表示手段と、
前記画像データを保存のため記録する画像記録手段と、
を備えることを特徴とする画像撮像装置。
【請求項２】
前記画像拡大手段によって拡大された画像と該拡大がなされる前の画像とを、前記表示手段に切り換えて表示させる表示制御手段
をさらに備えることを特徴とする請求項１に記載の画像撮像装置。
【請求項３】
前記画像抽出手段により抽出された複数の画像領域の中から、前記表示手段に拡大して表示する画像領域を選択する画像選択手段
をさらに備えることを特徴とする請求項１または請求項２に記載の画像撮像装置。
【請求項４】
前記特定の画像パターンは、予め記憶された人間の顔部画像パターンである
ことを特徴とする請求項１から請求項３のいずれかの項に記載の画像撮像装置。
【請求項５】
前記特定の画像パターンは、予め記憶された人間の眼部画像パターンである
ことを特徴とする請求項１から請求項３のいずれかの項に記載の画像撮像装置。
【請求項６】
前記眼部画像パターンは、眼の開度の画像パターンであり、
前記画像抽出手段によって抽出された眼の開度に基づいて報知を行う報知手段
をさらに備えることを特徴とする請求項５に記載の画像撮像装置。
【発明の詳細な説明】
【技術分野】
【０００１】
本発明は、画像撮像装置に関し、特に、撮像した画像を保存記録する前に当該画像の確認を行うことが可能な画像撮像装置に関する。
【背景技術】
【０００２】
従来、一般的にデジタルスチルカメラ（以下、デジタルカメラという）等の画像撮像装置においては、撮像した画像をカメラに内蔵した液晶モニタに表示することが可能になっており、ユーザは写真撮影後、画像をメモリに記録する前に、どのような画像が撮影できたか、例えばピントの具合などを確認することができるようになっている。
【０００３】
ところが、最近のデジタルカメラの小型化に伴い、液晶モニタの画面サイズも小さくせざるを得ない場合も多い。このような小型の液晶モニタでは、表示画像も小さいため被写体に正確にピントが合っているか否かを確認するのが難しく、大きなモニタに表示して初めてピントが合っていないいわゆるピンボケ画像であることが判明する、ということもよくある。
また一方で、デジタルカメラの撮像素子の高性能化に伴い、撮像した画像の画素数が多く、すなわち画像サイズが大きくなっているので、小型の液晶モニタで被写体のピント具合を確認することはより一層困難なものになっている。
【０００４】
そこで、このような問題に対し、撮像した画像の特定の合焦部分を拡大し画像表示装置に表示する方法が提案されている（例えば、特許文献１参照）。この方法によれば、設定された特定の合焦部分が簡単な操作で拡大表示されるので、撮像した被写体にピントが合っているか否かを容易に判定可能である。また、拡大したい部分をユーザが一つ一つ選択操作しピント確認をしていくという方法も考えられる。
【特許文献１】特開２００４−６４２５９号公報
【発明の開示】
【発明が解決しようとする課題】
【０００５】
ところで、被写体として人物を撮影する場合において、被写体の表情が撮影の成否を決める重要なポイントとなることが多い。例えば、撮像した画像中の被写体が目を閉じているとか笑顔ではない等の理由で、再撮影を行うことがしばしば行われる。
デジタルカメラを使った撮影では、撮影直後に、撮像した画像をその場で表示して被写体の表情を確認できるので、再撮影すべきかどうかを直ちに判断可能である。そして前記特許文献１に記載された方法によれば、合焦部分に写っている人物については、画像のその部分を拡大した上で、被写体の表情（とピント具合）を簡単な操作により確認することができる。
【０００６】
しかしながら、写真の構図によっては撮像画像の合焦部分に必ず人物を持ってくるとは限らず、このような場合に特許文献１に記載の方法では当該人物の表情を拡大して確認することはできない。すなわち、特許文献１に記載の方法によれば、拡大表示可能なのは設定された特定の合焦部分だけであり、例えば、合焦部分以外の領域に写っている人物や、集合写真など一枚の画像に収まっている複数の人物については、その（全ての人の）顔部分の拡大を行うことは不可能であった。そのため、このような場合はユーザが手動操作で所望部分を拡大しなければならず、操作が非常に煩雑であるという問題があった。
【０００７】
この発明は上記の点に鑑みてなされたものであり、その目的は、撮像した画像中の特定領域の拡大を簡単な操作によって行うことが可能な画像撮像装置を提供することにある。
【課題を解決するための手段】
【０００８】
本発明は上記課題を解決するためになされたものであり、請求項１に記載の発明は、被写体を撮像して該被写体の画像データを生成する撮像手段と、前記画像データを一時的に記憶する一時記憶手段と、前記一時記憶手段に記憶された画像データから、特定の画像パターンを有する少なくとも１つの画像領域を抽出する画像抽出手段と、前記抽出された画像領域を拡大された画像に変換する画像拡大手段と、画像を表示する表示手段と、前記画像データを保存のため記録する画像記録手段と、を備えることを特徴とする画像撮像装置である。
この発明によれば、一時記憶された画像データから特定の画像パターンを有する画像領域が抽出されて拡大表示されるので、ユーザは撮影した画像中の特定部分を簡単な操作によって拡大表示させることができ、これにより記録メディアへの保存記録前の画像チェックを容易に行うことが可能になる。また、拡大表示される画像領域は特定の画像パターンに基づくパターン認識により抽出されるので、被写体が画像中のどこにあるかによらず所望の部分を的確に拡大表示することができる。
【０００９】
また、請求項２に記載の発明は、請求項１に記載の画像撮像装置において、前記画像拡大手段によって拡大された画像と該拡大がなされる前の画像とを、前記表示手段に切り換えて表示させる表示制御手段をさらに備えることを特徴とする。
この発明によれば、全体画像と拡大画像との間で表示を切り換えることができ、画像チェック時の利便性が向上する。
【００１０】
また、請求項３に記載の発明は、請求項１または請求項２に記載の画像撮像装置において、前記画像抽出手段により抽出された複数の画像領域の中から、前記表示手段に拡大して表示する画像領域を選択する画像選択手段をさらに備えることを特徴とする。
この発明によれば、抽出された複数の拡大画像の間で表示を切り換えることができ、画像チェック時の利便性が向上する。
【００１１】
また、請求項４に記載の発明は、請求項１から請求項３のいずれかの項に記載の画像撮像装置において、前記特定の画像パターンは、予め記憶された人間の顔部画像パターンであることを特徴とする。
【００１２】
また、請求項５に記載の発明は、請求項１から請求項３のいずれかの項に記載の画像撮像装置において、前記特定の画像パターンは、予め記憶された人間の眼部画像パターンであることを特徴とする。
請求項４および請求項５に記載の発明によれば、それぞれ人間の顔若しくは眼の画像パターンをあらかじめ記憶しておき、これら画像パターンを利用して撮像した画像から被写体の顔または眼の部分を抽出している。これにより、撮影した被写体の顔若しくは眼の部分を対象として当該画像の拡大表示をすることが可能である。
【００１３】
また、請求項６に記載の発明は、請求項５に記載の画像撮像装置において、前記眼部画像パターンは、眼の開度の画像パターンであり、前記画像抽出手段によって抽出された眼の開度に基づいて報知を行う報知手段をさらに備えることを特徴とする。
この発明によれば、眼の開度に関する画像パターンをあらかじめ記憶しておくことにより撮像した画像中の被写体の眼の開度を検知し、必要であれば被写体が眼を閉じている旨が報知されるようになっているので、確実に画像チェックをすることができる。
【発明の効果】
【００１４】
本発明によれば、撮像した画像中の特定領域の拡大を簡単な操作によって行うことが可能な画像撮像装置を実現することが可能であり、これによりユーザは容易且つ被写体が画像中のどこにあるかによらずに、記録メディアへの保存記録の前に画像チェックを行うことができるようになる。
【発明を実施するための最良の形態】
【００１５】
以下、この発明の実施の形態について図面を参照しながら説明する。
≪第１の実施形態≫
図１は、この発明の第１の実施形態による画像撮像装置（デジタルカメラ１）の外観図であり、カメラを背面（液晶モニタ３が設けられた面）斜め上方から眺めた図である。
【００１６】
液晶モニタ３は、撮像部１１で捉えた像を電子的に表示する液晶ディスプレイであり、撮影途中においてはリアルタイムで画像を表示して被写体の構図を決める等のために使われ、撮影後においては撮像済み画像を表示（通常サイズでの表示または拡大表示）して画像チェックをするために使われる。また、操作用のメニューや日付、時間、電池残量等の各種情報も必要に応じて表示されるようになっている。
【００１７】
レリーズボタン４は、レリーズを行う（シャッタを切る）ためのボタンであり、カメラ上面の右側（背面から見て）端部近傍に設けられて、ユーザが右手人差し指で押下可能に配置されている。また、このレリーズボタン４は、軽い力による押下動作を行うための１段階目の入力と、１段階目の入力状態からさらに強い力で押下動作するための２段階目の入力とができるようになっている、２段階式のボタンである。
【００１８】
選択ボタン５は、画像の拡大する部分が複数ある場合に、拡大表示する部分を選択するためのボタンである。
切替えボタン６は、液晶モニタ３の全体表示（通常サイズの表示）と拡大表示とを切り替えるためのボタンである。
メモリスロット７は、撮影した画像データを記録する着脱可能な外部記録メディア（画像記録部１５）を挿入する部分である。
【００１９】
図２は、上記デジタルカメラ１における電気処理系の構成を示したブロック図である。
被写体の像は、レンズによって撮像素子（ＣＣＤ；電荷結合素子）上に結像され撮像素子によって電荷に変換されるが、撮像部１１は、撮像素子の出力信号から画像データの生成を行う処理部である。なお、レンズと撮像素子は図示していない。
【００２０】
画像処理部１２は、撮影したままの生の画像である撮像部１１の出力に対して、所定の画像処理（例えば電子的な手ぶれ補正等）を施す処理部である。
一時記憶部１３は、画像処理部１２から出力される画像処理済みの画像データを一時的に記憶するためのＲＡＭ（ランダムアクセスメモリ）である。
【００２１】
画像記録部１５は、撮影した画像データを保存のため記録する記録メディアである。画像データは、この画像記録部１５に所定の形式で圧縮されて記録される。圧縮伸張部１４は、そのための圧縮（記録時）と伸張（読み出し時）を行う処理部である。
【００２２】
顔部画像抽出部１６は、一時記憶部１３に記憶された画像データから、被写体となっている人物の顔部分を検出し、その顔部分の画像を切り出して顔画像を抽出する処理部である。なお、複数の人物が写っている場合は、当該複数人について顔画像が抽出される。
画像選択部１７は、顔部画像抽出部１６から複数の人物の顔画像が入力された場合に、選択ボタン５からの出力信号を受けてユーザが選択した顔画像のデータを画像拡大部１８へ出力する。
【００２３】
画像拡大部１８は、入力された顔画像データを所定の倍率に拡大する処理部である。
表示制御部１９は、切替えボタン６からの出力信号にしたがって、一時記憶部１３内の画像データ（画像全体）と画像拡大部１８から入力された顔画像データ（拡大画像）の何れか一方を液晶モニタ３へ出力する。
【００２４】
次に、上記デジタルカメラ１の動作を図３に示すフローチャートと図４に示す撮影例（液晶モニタ３の表示画像）を参照して説明する。
まず、ユーザがレリーズボタン４を軽く押して１段階目の入力を行うと、所定のフォーカス・露出機構が動作した後シャッタが動作して撮像が行われ（ステップＳ１）、撮像部１１と画像処理部１２によって処理された画像データが一時記憶部１３に記憶される（ステップＳ２）。
【００２５】
一時記憶された画像データは直ちにそのまま表示制御部１９へ送られ、画像全体が液晶モニタ３に表示される（ステップＳ３、図４（ａ））。この時点では、切替えボタン６からの出力は行われない。ここで、撮影された画像中には図４（ａ）に示すように３人の人物が写っているものとし、後述の説明の便宜上、各人の顔を模式化して丸い顔（左側の人物）、菱形の顔（真中の人物）、五角形の顔（右側の人物）で表すものとする。
【００２６】
次に、一時記憶された画像データが顔部画像抽出部１６へ送られ、当該画像中に含まれている人物の顔の検出と顔画像の抽出が行われる（ステップＳ４）。
ここでは、顔検出には人間の顔の画像パターンを利用した、周知の検出（パターン認識）技術が適用される。例えば、画像中の輪郭部を抽出して輪郭線の曲がり角度を算出することにより顔検出を行う方法や、顔の肌色を検知することによりその肌色領域を顔と認識する方法などが知られている。また、人間の顔・目・鼻・口を輪郭線だけで描いた画像データをあらかじめ多数用意（記憶）しておいて、上記抽出された輪郭線とのパターンマッチングを行う方法もある。なお、画像中に複数人の顔が写っている場合は、これら手法によって複数の顔部が検出される。
【００２７】
検出処理が完了すると、当該検出部分が顔画像として抽出され、抽出された顔画像に後述の画像選択のため「１」から順に選択番号が割り当てられる。また、検出された顔部の数が液晶モニタ３の画面右下部分に表示されて検出結果としてユーザに報知される（図４（ａ）参照）。図４（ａ）の例において、左の人物から順に顔画像の選択番号が「１」「２」「３」と割り当てられたとする。また、検出数は３と表示される。
【００２８】
上記報知が液晶モニタ３になされることでユーザは顔画像抽出の完了を知ることができるので、次に、ユーザは拡大表示する顔画像を選択するため、レリーズボタン４を１段入力の状態にしたまま（ステップＳ７の“そのまま”）、選択ボタン５を押下する（ステップＳ８の“Ｙｅｓ”）。
すると、選択ボタン５からの信号が画像選択部１７に入力されて、これにより画像選択部１７は、選択番号「１」を割り当てられた図４（ａ）の画像中の左側の人物（丸い顔）の顔画像が選択されたと判断する。そして、当該顔画像が画像拡大部１８へ送られて所定倍率に拡大された後、表示制御部１９へ出力される。表示制御部１９は、画像拡大部１８からの入力を受けると、液晶モニタ３の表示を全体画像から当該入力された拡大顔画像へと切り換える。こうして、撮影した画像内に写った１人目の顔部分が液晶モニタ３に拡大表示される（ステップＳ９）。
【００２９】
複数の顔画像が抽出されている場合は、選択番号がインクリメント（ステップＳ１０）されてからステップＳ７〜ステップＳ９が繰り返され、選択ボタン５を押す度に拡大された顔画像が次々と液晶モニタ３に表示される。
図４の撮影例においては、同図（ｂ）〜（ｄ）に示すように、上述の割り当てられた選択番号にしたがって丸い顔の人物、菱形の顔の人物、五角形の顔の人物の順で顔画像が拡大されて表示される。
また、レリーズボタン４を１段入力状態のまま切替えボタン６を押下すると（ステップＳ７で“そのまま”→ステップＳ８で“Ｎｏ”→ステップＳ１１で“Ｙｅｓ”）、液晶モニタ３の表示は全体画像と拡大画像との間で切り換わる（ステップＳ１２）。
【００３０】
上記のように選択ボタン５と切替えボタン６を適宜操作することで、ユーザは撮影した画像中の人物の拡大表示された顔をチェックしていく。そして、各人の表情（目を閉じてしまっていないか等）やピントに問題がなく、当該画像（全体の画像）を記録しようとするときには、１段入力状態に保持していたレリーズボタン４を強く押して２段階目の入力状態にする（ステップＳ７の“深押し”）。すると、一時記憶部１３に記憶されていた撮影画像は、圧縮伸張部１４によりデータ圧縮されてから画像記録部１５に記録される（ステップＳ１３）。その後、カメラ１は次の撮影待機状態となる。
【００３１】
一方、人物の表情等に問題があったため、再撮影をしようとするときは、１段入力状態のレリーズボタン４を開放する（指を離す）（ステップＳ７の“開放”）。すると、一時記憶部１３内の撮影画像データは保存記録されることなくクリア（ステップＳ１４）され、カメラ１は次の撮影待機状態へと移る。
【００３２】
このように、上記第１の実施形態によれば、撮影した画像を画像記録部１５に保存記録するのに先立って、一時記憶部１３に一時記憶された画像データから被写体人物の顔部分を抽出し、これを液晶モニタ３に拡大して表示するようにしている。したがって、ユーザは簡単な操作（選択ボタン５の押下）により被写体の顔部分を拡大表示させることができ、顔の詳細な表情をチェックした上で画像の保存または再撮影を判断することが可能となっている。
【００３３】
また、拡大表示する領域は、（画像中の固定部分とするのではなく）パターン認識により被写体の顔を抽出することで決定しているので、顔が画像中のどこにあってもユーザはこれを拡大表示させて表情のチェックを行うことができる。
さらに、簡単な操作により、抽出された複数の顔を選択して拡大表示させたり、表示を全体画像に切り換えたりするようになっているので、撮影後における画像チェックの利便性を向上させられる。
【００３４】
以上、図面を参照してこの発明の第１の実施形態について詳しく説明してきたが、具体的な構成は上述のものに限られることはなく、この発明の要旨を逸脱しない範囲内において様々な設計変更等をすることが可能である。
例えば、上記実施形態では選択ボタン５により複数の拡大顔部画像を次々表示させ、切替えボタン６により全体画像と拡大画像を切り換えるようにしているが、選択ボタン５に切替えボタン６の機能を持たせることもできる。すなわち、選択ボタン５を押下していくことによって、図４で言えば（ｂ）→（ｃ）→（ｄ）→（ａ）→（ｂ）…というように拡大された画像の次に全体の画像が表示されるようにしてもよい。これによりボタン数を削減することができる。
【００３５】
さらに、検出された顔部分を選択する操作に関しては、上記のように選択ボタン５の押下で拡大顔画像を順次表示する方法に代えて、全体画像を表示している液晶モニタ３上の検出された顔部分に検出部分であることを示す四角い「枠」などを表示し、十字キーなどを用いて当該枠を自在に選択できるようにしてもよい。こうすることで、集合写真のように多数の人物が写っている場合にも直観的かつ視覚的に選択操作ができて便利である。
【００３６】
また、上記実施形態では、レリーズボタン４の深押しによって撮影画像を画像記録部１５に記録するようにしているが、画像記録の操作はこれ以外の方法をとることも可能である。例えば、記録専用のボタンを設けてもよいし、レリーズボタン４を１段階式のボタンとし、一時記憶した撮影画像をチェックしている状態（液晶モニタ３に撮影した画像の全体あるいは拡大画像が表示されている状態。この時レリーズボタン４から一旦指を離す）でもう一度レリーズボタン４を押下することで画像記録部１５への記録を行うようにしてもよい。なお後者の場合、画像を保存しないで再撮影に移る操作には、例えばレリーズボタン４の長押し（数秒間押し続ける）を対応させればよい。これらの方法をとれば、上述の実施形態のように画像チェック中にレリーズボタン４を１段入力状態に保持したままにする必要がなくなるので、快適な操作を実現できるというメリットがある。
【００３７】
≪第２の実施形態≫
次に、この発明の第２の実施形態について説明する。
図５は、この発明の第２の実施形態による画像撮像装置（デジタルカメラ２）の外観図であり、カメラの背面（液晶モニタ３が設けられた面）斜め上方から眺めた図である。同図において、ＬＥＤ８を追加し選択ボタン５を削除した点以外は、カメラ２の構成は前述した第１の実施形態のカメラ１と同じであるので、それらにつき説明は省略する。
ＬＥＤ８は、所定の場合に撮影した画像が失敗ショットであることを点灯（若しくは点滅）によってユーザに報知する発光ダイオードである。
【００３８】
図６は、上記デジタルカメラ２における電気処理系の構成を示したブロック図である。同図においても、顔部画像抽出部１６が眼部画像抽出部２１に置き換わり、画像選択部１７が削除され、眼開度検知部２２が追加された点を除いては第１の実施形態のカメラ１と同じ構成であるので、説明を省略する。
眼部画像抽出部２１は、一時記憶部１３に記憶された画像データから、被写体となっている人物の眼の部分を検出し、その眼部分の画像を切り出して眼部画像を抽出する処理部である。
眼開度検知部２２は、眼部画像中の目の開度（目の開き具合）を算出し、その値が所定値以下か否かを判定する。
【００３９】
次に、上記デジタルカメラ２の動作を図７に示すフローチャートと図８に示す撮影例（液晶モニタ３の表示画像）を参照して説明する。
まず、被写体を撮影してから液晶モニタ３に画像全体が表示されるところまでは、前述した第１の実施形態と同様にして行われる（ステップＳ１〜ステップＳ３）。ただし、ここでは被写体は図８（ａ）に示すように一人であるものとする。
【００４０】
次に、一時記憶部１３に記憶された画像データが眼部画像抽出部２１へ送られ、当該画像中に含まれている人物の眼の検出と眼部画像の抽出が行われる（ステップＳ５ａ）。
ここで、人物の眼の検出には前記第１の実施形態における顔検出と同様に、人間の眼の画像パターンを利用した周知の検出（パターン認識）技術を適用する。例えば、画像中から抽出した輪郭線に対してあらかじめ用意した多数の目の形状データのパターンマッチングを行う方法や、画像中の肌色領域（顔）の中に黒色領域（瞳）がある一定の大きさで含まれている場合に当該黒色領域の周辺部を目と認識する方法などを適用する。
検出処理が完了すると当該検出部分が眼部画像として抽出され、抽出された眼部画像が眼開度検知部２２へ送られる。
【００４１】
すると、眼開度検知部２２は入力された眼部画像中の目の開度を計算する（ステップＳ５ｂ）。具体的には、開度計算手法として、前記パターンマッチングにおいて目を何通りかの大きさに見開いた画像データを用意しておいて照合を行ったり、あるいは眼部画像全体に占める黒色の部分（瞳）の面積比率を計算するなどといった、人間の眼の開度の画像パターンを利用した周知の方法を用いる。なお、開度は目が大きく見開かれている程大きい値となるように定義するものとする。
そして次に、計算された目の開度があらかじめ設定した値より小さいかどうかが判定される（ステップＳ６ａ）。
【００４２】
判定の結果、設定値より小さい場合は、被写体となった人物が目を閉じているため当該画像は失敗ショットの可能性があると判断されて、ＬＥＤ８が点灯する（ステップＳ６ｂ）。また、ステップＳ５ａで抽出された眼部画像が画像拡大部１８へ送られ、第１の実施形態におけるステップＳ９と同じ処理が行われて液晶モニタ３に拡大された眼部の画像が表示される（ステップＳ６ｃ）。
この時の液晶モニタ３の表示画面は例えば図８（ｂ）のようになる。同図によれば、片目を閉じてしまっている被写体の人物の眼部が液晶モニタ３に拡大して表示されている。
【００４３】
デジタルカメラ２はこうして、ＬＥＤ８の点灯および液晶モニタ３を拡大表示に切り換えることでユーザに対し失敗ショット（被写体人物が目を閉じた）の可能性を報知する。これによりユーザは、この眼部の拡大画像を自分の目で見てチェックした上で、本当に失敗ショットか否かの最終的な判断を行う。
そしてその判断結果に応じ、ユーザがレリーズボタン４の深押しまたは開放の操作を行うと（ステップＳ７）、前記の第１の実施形態と同じくして画像記録部１５への画像の保存記録（ステップＳ１３）、または一時記憶部１３の画像データのクリア（ステップＳ１４）が行われる。
【００４４】
なお、レリーズボタン４を１段入力状態のまま切替えボタン６を押下すると、液晶モニタ３の表示が全体画像と拡大画像との間で切り換わる、という動作も第１の実施形態と同じである（ステップＳ７で“そのまま”→ステップＳ１１で“Ｙｅｓ”→ステップＳ１２）。
【００４５】
このように、上記第２の実施形態によれば、被写体の眼の部分につき前述の第１の実施形態と同じく液晶モニタ３に拡大表示することが可能である。
また、被写体の眼の開度を算出し、開度が十分でなければその旨が報知されるようになっている。したがって、ユーザは保存記録前の画像チェックを確実に行うことが可能である。
【００４６】
以上、図面を参照してこの発明の第２の実施形態について詳しく説明してきたが、具体的な構成は上述のものに限られることはなく、この発明の要旨を逸脱しない範囲内において様々な設計変更等をすることができる。
例えば、撮影画像を画像記録部１５に記録する操作方法に関し、前記の第１の実施形態のところで述べた代替方法を同様に適用できるのはもちろんである。
【００４７】
また、ステップＳ６ｂにおけるＬＥＤ８の点灯の仕方を、連続点灯に代えて点滅するようにしてもよい。さらに、ＬＥＤ８に代え、またはＬＥＤ８とともに、電子アラーム音や電子音声によって報知を行うようにしてもよい。また、算出された眼の開度に応じて報知の仕方（点灯や鳴音の仕方）を異ならせてもよい。
また、第１の実施形態と同様に選択ボタン５を設け、抽出された複数の眼部画像を選択可能にしてもよい。
【図面の簡単な説明】
【００４８】
【図１】第１の実施形態による画像撮像装置の外観図である。
【図２】図１の画像撮像装置における電気処理系の構成を示したブロック図である。
【図３】図１の画像撮像装置の動作を示したフローチャートである。
【図４】図１の画像撮像装置において液晶モニタに表示された撮影例である。
【図５】第２の実施形態による画像撮像装置の外観図である。
【図６】図５の画像撮像装置における電気処理系の構成を示したブロック図である。
【図７】図５の画像撮像装置の動作を示したフローチャートである。
【図８】図５の画像撮像装置において液晶モニタに表示された撮影例である。
【符号の説明】
【００４９】
１・２…デジタルカメラ  ３…液晶モニタ  ４…レリーズボタン  ５…選択ボタン  ６…切替えボタン  ７…メモリスロット  ８…ＬＥＤ  １１…撮像部  １２…画像処理部  １３…一時記憶部  １４…圧縮伸張部  １５…画像記録部  １６…顔部画像抽出部  １７…画像選択部  １８…画像拡大部  １９…表示制御部  ２１…眼部画像抽出部  ２２…眼開度検知部
【図１】
2006340281.tif 000003
【図２】
2006340281.tif 000004
【図３】
2006340281.tif 000005
【図４】
2006340281.tif 000006
【図５】
2006340281.tif 000007
【図６】
2006340281.tif 000008
【図７】
2006340281.tif 000009
【図８】
2006340281.tif 000010